(57)【要約】【課題】ファンモータの動力がファンベルトを介して伝達される送風ファンを備えた空気調和装置において、ファンベルトが破断していることを検知可能に構成する。【解決手段】熱交換器（37）を流れる冷媒の状態を表す物理量が、判定用計測値として計測される。異常判定部（55）は、冷凍サイクル中にファンモータ（28）が回転している状態で、判定用計測値が、所定の時間以上に亘って、冷凍サイクル中に送風ファン（14）がファンモータ（28）により駆動されている状態においてなり得る正常範囲から外れているという判定条件が成立する場合に、ファンベルト（29）が破断していると判定する。【選択図】図３
2010216720.tif 000002
【特許請求の範囲】
【請求項１】
圧縮機（30）と熱交換器（37）とが設けられて、冷媒を循環させて冷凍サイクルを行う冷媒回路（20）と、
上記熱交換器（37）に空気を送る送風ファン（14）と、
上記送風ファン（14）を駆動するためのファンモータ（28）と、
上記ファンモータ（28）の動力を上記送風ファン（14）に伝達するファンベルト（29）とを備えた空気調和装置であって、
上記熱交換器（37）を流れる冷媒の状態を表す物理量を判定用計測値として計測する計測手段（46,48,50）と、
上記冷凍サイクル中に上記ファンモータ（28）が回転しているファンモータ回転状態で所定の判定条件が成立する場合に上記ファンベルト（29）が破断していると判定する異常判定手段（55）とを備え、
上記判定条件は、上記判定用計測値が、所定の時間以上に亘って、上記冷凍サイクル中に上記送風ファン（14）が上記ファンモータ（28）により駆動されている状態においてなり得る正常範囲から外れているという条件であることを特徴とする空気調和装置。
【請求項２】
請求項１において、
上記熱交換器（37）が蒸発器として動作する蒸発側の冷凍サイクルでは、上記計測手段（46,48,50）が、上記圧縮機（30）へ吸入される低圧冷媒の圧力を上記判定用計測値として計測し、上記判定用計測値が所定の下限圧力よりも高くなる範囲が上記正常範囲となる一方、
上記蒸発側の冷凍サイクル中の異常判定手段（55）は、上記ファンモータ回転状態で、上記判定用計測値が所定の時間以上に亘って上記下限圧力以下になっているという条件が上記判定条件として成立する場合に、上記ファンベルト（29）が破断していると判定することを特徴とする空気調和装置。
【請求項３】
請求項２において、
上記蒸発側の冷凍サイクルでは、上記判定用計測値が上記下限圧力よりも高くなるように、上記圧縮機（30）の運転容量が調節され、
上記蒸発側の冷凍サイクル中の異常判定手段（55）は、上記ファンモータ回転状態で、上記判定用計測値が所定の時間以上に亘って上記下限圧力よりも低い第１低圧基準値未満になっているという第１低圧条件が、上記判定条件として成立する場合だけでなく、上記ファンモータ回転状態で且つ上記圧縮機（30）の運転容量が制御可能な範囲の低容量領域に設定されている状態で、上記判定用計測値が所定の時間以上に亘って上記下限圧力以下で且つ上記第１低圧基準値よりも高い第２低圧基準値未満になっているという第２低圧条件が成立する場合にも、上記ファンベルト（29）が破断していると判定することを特徴とする空気調和装置。
【請求項４】
請求項１において、
上記熱交換器（37）が蒸発器として動作する蒸発側の冷凍サイクルでは、上記計測手段（46,48,50）が、該熱交換器（37）における冷媒の蒸発温度を上記判定用計測値として計測し、上記判定用計測値が所定の下限温度よりも高くなる範囲が上記正常範囲となる一方、
上記蒸発側の冷凍サイクル中の異常判定手段（55）は、上記ファンモータ回転状態で、上記判定用計測値が所定の時間以上に亘って上記下限温度以下になっているという条件が上記判定条件として成立する場合に、上記ファンベルト（29）が破断していると判定することを特徴とする空気調和装置。
【請求項５】
請求項４において、
上記蒸発側の冷凍サイクルでは、上記判定用計測値が上記下限温度よりも高くなるように、上記圧縮機（30）の運転容量が調節され、
上記蒸発側の冷凍サイクル中の異常判定手段（55）は、上記ファンモータ回転状態で、上記判定用計測値が所定の時間以上に亘って上記下限温度よりも低い第１低温基準値未満になっているという第１低温条件が、上記判定条件として成立する場合だけでなく、上記ファンモータ回転状態で且つ上記圧縮機（30）の運転容量が制御可能な範囲の低容量領域に設定されている状態で、上記判定用計測値が所定の時間以上に亘って上記下限温度以下で且つ上記第１低温基準値よりも高い第２低温基準値未満になっているという第２低温条件が成立する場合にも、上記ファンベルト（29）が破断していると判定することを特徴とする空気調和装置。
【請求項６】
請求項１において、
上記熱交換器（37）が放熱器として動作する放熱側の冷凍サイクルでは、上記計測手段（46,48,50）が、上記圧縮機（30）から吐出された高圧冷媒の圧力を上記判定用計測値として計測し、上記判定用計測値が所定の上限圧力よりも低くなる範囲が上記正常範囲となる一方、
上記放熱側の冷凍サイクル中の異常判定手段（55）は、上記ファンモータ回転状態で、上記判定用計測値が所定の時間以上に亘って上記上限圧力以上になっているという条件が上記判定条件として成立する場合に、上記ファンベルト（29）が破断していると判定することを特徴とする空気調和装置。
【請求項７】
請求項６において、
上記放熱側の冷凍サイクルでは、上記判定用計測値が上記上限圧力よりも低くなるように、上記圧縮機（30）の運転容量が調節され、
上記放熱側の冷凍サイクル中の異常判定手段（55）は、上記ファンモータ回転状態で、上記判定用計測値が所定の時間以上に亘って上記上限圧力よりも高い第１高圧基準値を上回るという第１高圧条件が、上記判定条件として成立する場合だけでなく、上記ファンモータ回転状態で且つ上記圧縮機（30）の運転容量が制御可能な範囲の低容量領域に設定されている状態で、上記判定用計測値が所定の時間以上に亘って上記上限圧力以上で且つ上記第１高圧基準値よりも低い第２高圧基準値を上回るという第２高圧条件が成立する場合にも、上記ファンベルト（29）が破断していると判定することを特徴とする空気調和装置。
【請求項８】
請求項１において、
上記熱交換器（37）が放熱器として動作する放熱側の冷凍サイクルでは、上記計測手段（46,48,50）が、該熱交換器（37）における冷媒の凝縮温度を上記判定用計測値として計測し、上記判定用計測値が所定の上限温度よりも低くなる範囲が上記正常範囲となる一方、
上記放熱側の冷凍サイクル中の異常判定手段（55）は、上記ファンモータ回転状態で、上記判定用計測値が所定の時間以上に亘って上記上限温度以上になっているという条件が上記判定条件として成立する場合に、上記ファンベルト（29）が破断していると判定することを特徴とする空気調和装置。
【請求項９】
請求項８において、
上記放熱側の冷凍サイクルでは、上記判定用計測値が上記上限温度よりも低くなるように、上記圧縮機（30）の運転容量が調節され、
上記放熱側の冷凍サイクル中の異常判定手段（55）は、上記ファンモータ回転状態で、上記判定用計測値が所定の時間以上に亘って上記上限温度よりも高い第１高温基準値を上回るという第１高温条件が、上記判定条件として成立する場合だけでなく、上記ファンモータ回転状態で且つ上記圧縮機（30）の運転容量が制御可能な範囲の低容量領域に設定されている状態で、上記判定用計測値が所定の時間以上に亘って上記上限温度以上で且つ上記第１高温基準値よりも低い第２高温基準値を上回るという第２高温条件が成立する場合にも、上記ファンベルト（29）が破断していると判定することを特徴とする空気調和装置。
【請求項１０】
運転容量が可変の圧縮機（30）と熱交換器（37）とが設けられて、冷媒を循環させて冷凍サイクルを行う冷媒回路（20）と、
上記熱交換器（37）に空気を送る送風ファン（14）と、
上記送風ファン（14）を駆動するためのファンモータ（28）と、
上記ファンモータ（28）の動力を上記送風ファン（14）に伝達するファンベルト（29）とを備えた空気調和装置であって、
上記熱交換器（37）を流れる冷媒の状態を表す物理量を判定用計測値として計測する計測手段（46,48,50）と、
上記冷凍サイクル中に上記判定用計測値が所定の正常範囲内になるように上記圧縮機（30）の運転容量を調節し、該判定用計測値が上記正常範囲から外れた場合には該圧縮機（30）の運転容量を低下させる運転制御手段（54）と、
上記冷凍サイクル中に上記ファンモータ（28）が回転しているファンモータ回転状態で且つ上記圧縮機（30）の運転容量が制御可能な範囲の低容量領域に設定されている低容量状態で、所定の判定条件が成立すると上記ファンベルト（29）が破断していると判定する異常判定手段（55）とを備え、
上記判定条件は、上記判定用計測値が所定の時間以上に亘って上記正常範囲から外れているという条件であることを特徴とする空気調和装置。
【請求項１１】
請求項１０において、
上記熱交換器（37）が蒸発器として動作する蒸発側の冷凍サイクルでは、上記計測手段（46,48,50）が、上記圧縮機（30）へ吸入される低圧冷媒の圧力を上記判定用計測値として計測し、上記判定用計測値が所定の下限圧力よりも高くなる範囲が上記正常範囲となる一方、
上記蒸発側の冷凍サイクル中の異常判定手段（55）は、上記ファンモータ回転状態で且つ上記低容量状態で、上記判定用計測値が所定の時間以上に亘って上記下限圧力以下になっているという条件が上記判定条件として成立する場合に、上記ファンベルト（29）が破断していると判定することを特徴とする空気調和装置。
【請求項１２】
請求項１０において、
上記熱交換器（37）が蒸発器として動作する蒸発側の冷凍サイクルでは、上記計測手段（46,48,50）が、該熱交換器（37）における冷媒の蒸発温度を上記判定用計測値として計測し、上記判定用計測値が所定の下限温度よりも高くなる範囲が上記正常範囲となる一方、
上記蒸発側の冷凍サイクル中の異常判定手段（55）は、上記ファンモータ回転状態で且つ上記低容量状態で、上記判定用計測値が所定の時間以上に亘って上記下限温度以下になっているという条件が上記判定条件として成立する場合に、上記ファンベルト（29）が破断していると判定することを特徴とする空気調和装置。
【請求項１３】
請求項１０において、
上記熱交換器（37）が放熱器として動作する放熱側の冷凍サイクルでは、上記計測手段（46,48,50）が、上記圧縮機（30）から吐出された高圧冷媒の圧力を上記判定用計測値として計測し、上記判定用計測値が所定の上限圧力よりも低くなる範囲が上記正常範囲となる一方、
上記放熱側の冷凍サイクル中の異常判定手段（55）は、上記ファンモータ回転状態で且つ上記低容量状態で、上記判定用計測値が所定の時間以上に亘って上記上限圧力以上になっているという条件が上記判定条件として成立する場合に、上記ファンベルト（29）が破断していると判定することを特徴とする空気調和装置。
【請求項１４】
請求項１０において、
上記熱交換器（37）が放熱器として動作する放熱側の冷凍サイクルでは、上記計測手段（46,48,50）が、該熱交換器（37）における冷媒の凝縮温度を上記判定用計測値として計測し、上記判定用計測値が所定の上限温度よりも低くなる範囲が上記正常範囲となる一方、
上記放熱側の冷凍サイクル中の異常判定手段（55）は、上記ファンモータ回転状態で且つ上記低容量状態で、上記判定用計測値が所定の時間以上に亘って上記上限温度以上になっているという条件が上記判定条件として成立する場合に、上記ファンベルト（29）が破断していると判定することを特徴とする空気調和装置。
【請求項１５】
請求項１又は１０において、
上記熱交換器（37）及び上記送風ファン（14）を収容するケーシング（15）内には、該熱交換器（37）及び該送風ファン（14）が配置されて、上向きに空気が流れる空気通路（31）が形成される一方、
上記異常判定手段（55）は、上記熱交換器（37）が蒸発器として動作する冷凍サイクル中に、上記ファンモータ回転状態で上記判定条件が成立する場合だけでなく、該ファンモータ回転状態で、上記空気通路（31）における熱交換器（37）の下方の空気の温度が、所定の時間以上に亘って、所定の低温空気基準値よりも低くなる場合にも、上記ファンベルト（29）が破断していると判定することを特徴とする空気調和装置。
【請求項１６】
請求項１又は１０において、
上記熱交換器（37）及び上記送風ファン（14）を収容するケーシング（15）内には、該熱交換器（37）及び該送風ファン（14）が配置されて、上向きに空気が流れる空気通路（31）が形成される一方、
上記異常判定手段（55）は、上記熱交換器（37）が放熱器として動作する冷凍サイクル中に、上記ファンモータ回転状態で上記判定条件が成立する場合だけでなく、上記ファンモータ回転状態で、上記空気通路（31）における熱交換器（37）の上方の空気の温度が、所定の時間以上に亘って、所定の高温空気基準値よりも高くなる場合にも、上記ファンベルト（29）が破断していると判定することを特徴とする空気調和装置。
【請求項１７】
請求項１又は１０において、
上記送風ファン（14）及び上記熱交換器（37）を収容するケーシング（15）内には、該熱交換器（37）及び該送風ファン（14）が配置された空気通路（31）が形成され、
上記空気通路（31）には、該熱交換器（37）を通過した空気に水分を付与する加湿装置（19）が設けられる一方、
上記異常判定手段（55）は、上記加湿装置（19）の運転中に、上記ファンモータ回転状態で上記空気通路（31）の湿度の単位時間当たりの上昇率が所定の湿度基準値よりも大きくなる場合に、上記判定条件が成立するか否かを判定する動作を行うことなく、上記ファンベルト（29）が破断していると判定することを特徴とする空気調和装置。
【請求項１８】
請求項１乃至１７の何れか１つにおいて、
上記冷凍サイクル中の異常判定手段（55）は、上記ファンモータ（28）に供給されるモータ電流の電流値の単位時間当たりの低下率が所定の電流基準値よりも小さくなる場合に、上記判定条件が成立するか否かを判定する動作を行うことを特徴とする空気調和装置。
【請求項１９】
請求項１乃至１７の何れか１つにおいて、
上記冷凍サイクル中の異常判定手段（55）は、上記送風ファン（14）の回転速度の単位時間当たりの低下率が所定の回転速度基準値よりも小さくなる場合に、上記判定条件が成立するか否かを判定する動作を行うことを特徴とする空気調和装置。
【発明の詳細な説明】
【技術分野】
【０００１】
本発明は、ファンモータの動力がファンベルトを介して伝達される送風ファンを備えた空気調和装置に関するものである。
【背景技術】
【０００２】
従来より、ファンモータの動力がファンベルトを介して伝達される送風ファンを備えた空気調和装置が知られている。この種の空気調和装置が、例えば特許文献１に開示されている。
【０００３】
特許文献１の空気調和装置では、空調機ケーシング内に、温水コイル及び冷水コイルが設置された上流側室と、送風ファン及びダクトが設置された下流側室とが形成されている。送風ファンには、ファン駆動用のモータがファンベルトを介して連繋されている。
【特許文献１】特開平６−３２３５６４号公報
【発明の開示】
【発明が解決しようとする課題】
【０００４】
ところで、この種の空気調和装置では、劣化によりファンベルトの強度が低下すること等が原因で、ファンベルトが破断する場合がある。しかし、従来の空気調和装置は、ファンベルトが破断しても、ファンベルトが破断していることを検知することができなかった。
【０００５】
本発明は、かかる点に鑑みてなされたものであり、その目的は、ファンモータの動力がファンベルトを介して伝達される送風ファンを備えた空気調和装置において、ファンベルトが破断していることを検知可能に構成することにある。
【課題を解決するための手段】
【０００６】
第１の発明は、圧縮機（30）と熱交換器（37）とが設けられて、冷媒を循環させて冷凍サイクルを行う冷媒回路（20）と、上記熱交換器（37）に空気を送る送風ファン（14）と、上記送風ファン（14）を駆動するためのファンモータ（28）と、上記ファンモータ（28）の動力を上記送風ファン（14）に伝達するファンベルト（29）とを備えた空気調和装置（10）を対象とする。そして、この空気調和装置（10）は、上記熱交換器（37）を流れる冷媒の状態を表す物理量を判定用計測値として計測する計測手段（46,48,50）と、上記冷凍サイクル中に上記ファンモータ（28）が回転しているファンモータ回転状態で所定の判定条件が成立する場合に上記ファンベルト（29）が破断していると判定する異常判定手段（55）とを備え、上記判定条件は、上記判定用計測値が、所定の時間以上に亘って、上記冷凍サイクル中に上記送風ファン（14）が上記ファンモータ（28）により駆動されている状態においてなり得る正常範囲から外れているという条件である。
【０００７】
第１の発明では、計測手段（46,48,50）が、送風ファン（14）によって空気が送られる熱交換器（37）を流れる冷媒の状態を表す物理量を判定用計測値として計測する。そして、異常判定手段（55）が、ファンモータ回転状態で、判定用計測値が所定の時間以上に亘って正常範囲から外れているという判定条件が成立する場合に、ファンベルト（29）が破断していると判定する。ここで、例えば、上記送風ファン（14）の空気が供給される熱交換器（37）が蒸発器として動作する空気調和装置（10）の場合には、冷凍サイクル中に送風ファン（14）がファンモータ（28）によって駆動されている状態では、上記熱交換器（37）を流れる冷媒の状態を表す物理量のうち、例えば圧縮機（30）に吸入される低圧冷媒の圧力が所定の下限圧力よりも高くなる。つまり、低圧冷媒の圧力が下限圧力よりも高くなる範囲が、上記正常範囲に相当する。このような空気調和装置（10）では、冷凍サイクル中に送風ファン（14）が停止すると、上記熱交換器（37）における冷媒の吸熱量が大幅に減少する。その結果、上記熱交換器（37）における冷媒の温度が低下し、低圧冷媒の圧力が下限圧力以下になって正常範囲外となる。また、例えば、上記送風ファン（14）の空気が供給される熱交換器（37）が放熱器として動作する空気調和装置（10）の場合には、冷凍サイクル中に送風ファン（14）がファンモータ（28）によって駆動されている状態では、上記熱交換器（37）を流れる冷媒の状態を表す物理量のうち、例えば圧縮機（30）から吐出された高圧冷媒の圧力が例えば所定の上限圧力よりも低くなる。つまり、高圧冷媒の圧力が上限圧力よりも低くなる範囲が、上記正常範囲に相当する。このような空気調和装置（10）では、冷凍サイクル中に送風ファン（14）が停止すると、上記熱交換器（37）における冷媒の放熱量が大幅に減少する。その結果、上記熱交換器（37）における冷媒の温度が上昇し、高圧冷媒の圧力が上限圧力以上になって正常範囲外となる。このように、送風ファン（14）によって空気が送られる熱交換器（37）を流れる冷媒の状態を表す物理量が正常範囲外になる場合には、その送風ファン（14）が停止している状態になっていることが検知される。そして、ファンモータ回転状態では、送風ファン（14）が停止している原因が、ファンモータ（28）の停止ではないので、ファンベルト（29）が破断していることが検知される。従って、この第１の発明では、異常判定手段（55）が、ファンモータ回転状態で、熱交換器（37）を流れる冷媒の状態を表す物理量が、所定の時間以上に亘って正常範囲から外れている場合に、ファンベルト（29）が破断していると判定する。
【０００８】
第２の発明は、上記第１の発明において、上記熱交換器（37）が蒸発器として動作する蒸発側の冷凍サイクルでは、上記計測手段（46,48,50）が、上記圧縮機（30）へ吸入される低圧冷媒の圧力を上記判定用計測値として計測し、上記判定用計測値が所定の下限圧力よりも高くなる範囲が上記正常範囲となる一方、上記蒸発側の冷凍サイクル中の異常判定手段（55）は、上記ファンモータ回転状態で、上記判定用計測値が所定の時間以上に亘って上記下限圧力以下になっているという条件が上記判定条件として成立する場合に、上記ファンベルト（29）が破断していると判定する。
【０００９】
第２の発明では、蒸発側の冷凍サイクルの際に、ファンモータ回転状態で、圧縮機（30）へ吸入される低圧冷媒の圧力が、所定の時間以上に亘って下限圧力以下になっている場合に、異常判定手段（55）が、ファンベルト（29）が破断していると判定する。ここで、蒸発側の冷凍サイクル中に送風ファン（14）が停止すると、熱交換器（37）における冷媒の吸熱量が大幅に減少し、低圧冷媒の圧力が下限圧力以下になる。この第２の発明では、蒸発側の冷凍サイクルを行う場合は、該冷凍サイクル中に送風ファン（14）が停止しているか否かが、低圧冷媒の圧力が下限圧力以下になっているか否かで判断できることを利用して、ファンベルト（29）が破断しているか否かが判定される。
【００１０】
第３の発明は、上記第２の発明において、上記蒸発側の冷凍サイクルでは、上記判定用計測値が上記下限圧力よりも高くなるように、上記圧縮機（30）の運転容量が調節され、上記蒸発側の冷凍サイクル中の異常判定手段（55）は、上記ファンモータ回転状態で、上記判定用計測値が所定の時間以上に亘って上記下限圧力よりも低い第１低圧基準値未満になっているという第１低圧条件が、上記判定条件として成立する場合だけでなく、上記ファンモータ回転状態で且つ上記圧縮機（30）の運転容量が制御可能な範囲の低容量領域に設定されている状態で、上記判定用計測値が所定の時間以上に亘って上記下限圧力以下で且つ上記第１低圧基準値よりも高い第２低圧基準値未満になっているという第２低圧条件が成立する場合にも、上記ファンベルト（29）が破断していると判定する。
【００１１】
第３の発明では、蒸発側の冷凍サイクルの際に、ファンモータ回転状態で、低圧冷媒の圧力が所定の時間以上に亘って第１低圧基準値未満になっているという第１低圧条件と、圧縮機（30）の運転容量が低容量領域に設定されている状態で低圧冷媒の圧力が所定の時間以上に亘って第２低圧基準値未満になっているという第２低圧条件との少なくとも一方が成立する場合に、異常判定手段（55）が、ファンベルト（29）が破断していると判定する。第２低圧基準値は、下限圧力以下の正常範囲外の値であり、第１低圧条件で用いる第１低圧基準値よりも高い値になっている。ここで、圧縮機（30）の運転容量が制御可能な範囲の高容量領域に設定されている場合は、圧縮機（30）の運転容量を低下させると、低圧冷媒の圧力が上昇する可能性がある。このため、圧縮機（30）の運転容量に関係なく、ファンベルト（29）が破断している否かを判定するベルト切れの判定を行う第１低圧条件では、低圧冷媒の圧力を上昇させるための圧縮機（30）の運転容量の調節幅がどの程度残されているか分からないので、低圧冷媒の圧力が上昇する可能性を考慮して、低圧冷媒の圧力の判定閾値である第１低圧基準値を設定する必要がある。これに対して、圧縮機（30）が低容量領域に設定されている状態でベルト切れの判定を行う第２低圧条件では、圧縮機（30）の運転容量の調節幅がそれほど残っていないことが分かっている。このため、第２低圧基準値は、第１低圧基準値よりも高い値に設定されている。従って、低圧冷媒の圧力の低下に対しては、第１低圧条件よりも第２低圧条件の方が、速やかにファンベルト（29）が破断していることを検知できる。一方で、ファンベルト（29）が破断した場合に、圧縮機（30）の運転容量が低容量領域になる前に、低圧冷媒の圧力が第１低圧基準値未満となる場合もあり得る。そのような場合は、第２低圧条件よりも第１低圧条件の方が、速やかにファンベルト（29）が破断していることを検知できる。この第３の発明では、ファンベルト（29）が破断した後に圧縮機（30）の運転容量がすぐに低容量領域に低下しない場合に速やかにファンベルト（29）が破断していることを検知できる第１低圧条件と、低圧冷媒の圧力の低下に対して速やかにファンベルト（29）が破断していることを検知できる第２低圧条件とが、ベルト切れの判定に用いられている。
【００１２】
第４の発明は、上記第１の発明において、上記熱交換器（37）が蒸発器として動作する蒸発側の冷凍サイクルでは、上記計測手段（46,48,50）が、該熱交換器（37）における冷媒の蒸発温度を上記判定用計測値として計測し、上記判定用計測値が所定の下限温度よりも高くなる範囲が上記正常範囲となる一方、上記蒸発側の冷凍サイクル中の異常判定手段（55）は、上記ファンモータ回転状態で、上記判定用計測値が所定の時間以上に亘って上記下限温度以下になっているという条件が上記判定条件として成立する場合に、上記ファンベルト（29）が破断していると判定する。
【００１３】
第４の発明では、蒸発側の冷凍サイクルを行う場合は、該冷凍サイクル中に送風ファン（14）が停止しているか否かが、蒸発温度が下限温度以下になっているか否かで判断できることを利用して、ファンベルト（29）が破断しているか否かが判定される。
【００１４】
第５の発明は、上記第４の発明において、上記蒸発側の冷凍サイクルでは、上記判定用計測値が上記下限温度よりも高くなるように、上記圧縮機（30）の運転容量が調節され、上記蒸発側の冷凍サイクル中の異常判定手段（55）は、上記ファンモータ回転状態で、上記判定用計測値が所定の時間以上に亘って上記下限温度よりも低い第１低温基準値未満になっているという第１低温条件が、上記判定条件として成立する場合だけでなく、上記ファンモータ回転状態で且つ上記圧縮機（30）の運転容量が制御可能な範囲の低容量領域に設定されている状態で、上記判定用計測値が所定の時間以上に亘って上記下限温度以下で且つ上記第１低温基準値よりも高い第２低温基準値未満になっているという第２低温条件が成立する場合にも、上記ファンベルト（29）が破断していると判定する。
【００１５】
第５の発明では、上記熱交換器（37）が蒸発器として動作する冷凍サイクルの際に、ファンモータ回転状態で、蒸発温度が所定の時間以上に亘って第１低温基準値以下になっているという第１低温条件と、圧縮機（30）の運転容量が低容量領域に設定されている状態で蒸発温度が所定の時間以上に亘って第２低温基準値以下になっているという第２低温条件との少なくとも一方が成立する場合に、異常判定手段（55）が、ファンベルト（29）が破断していると判定する。第２低温基準値は、下限温度以下の正常範囲外の値であり、第１低温条件で用いる第１低温基準値よりも高い値になっている。この第５の発明では、ファンベルト（29）が破断した後に圧縮機（30）の運転容量がすぐに低容量領域に低下しない場合に速やかにファンベルト（29）が破断していることを検知できる第１低温条件と、蒸発温度の低下に対して速やかにファンベルト（29）が破断していることを検知できる第２低温条件とが、ベルト切れの判定に用いられている。
【００１６】
第６の発明は、上記第１の発明において、上記熱交換器（37）が放熱器として動作する放熱側の冷凍サイクルでは、上記計測手段（46,48,50）が、上記圧縮機（30）から吐出された高圧冷媒の圧力を上記判定用計測値として計測し、上記判定用計測値が所定の上限圧力よりも低くなる範囲が上記正常範囲となる一方、上記放熱側の冷凍サイクル中の異常判定手段（55）は、上記ファンモータ回転状態で、上記判定用計測値が所定の時間以上に亘って上記上限圧力以上になっているという条件が上記判定条件として成立する場合に、上記ファンベルト（29）が破断していると判定する。
【００１７】
第６の発明では、放熱側の冷凍サイクルの際に、ファンモータ回転状態で、圧縮機（30）から吐出された高圧冷媒の圧力が、所定の時間以上に亘って上限圧力以上になっている場合に、異常判定手段（55）が、ファンベルト（29）が破断していると判定する。ここで、放熱側の冷凍サイクル中に送風ファン（14）が停止すると、熱交換器（37）における冷媒の放熱量が大幅に減少し、高圧冷媒の圧力が上限圧力以上になる。この第６の発明では、放熱側の冷凍サイクルを行う場合は、該冷凍サイクル中に送風ファン（14）が停止しているか否かが、高圧冷媒の圧力が上限圧力以上になっているか否かで判断できることを利用して、ファンベルト（29）が破断しているか否かが判定される。
【００１８】
第７の発明は、上記第６の発明において、上記放熱側の冷凍サイクルでは、上記判定用計測値が上記上限圧力よりも低くなるように、上記圧縮機（30）の運転容量が調節され、上記放熱側の冷凍サイクル中の異常判定手段（55）は、上記ファンモータ回転状態で、上記判定用計測値が所定の時間以上に亘って上記上限圧力よりも高い第１高圧基準値を上回るという第１高圧条件が、上記判定条件として成立する場合だけでなく、上記ファンモータ回転状態で且つ上記圧縮機（30）の運転容量が制御可能な範囲の低容量領域に設定されている状態で、上記判定用計測値が所定の時間以上に亘って上記上限圧力以上で且つ上記第１高圧基準値よりも低い第２高圧基準値を上回るという第２高圧条件が成立する場合にも、上記ファンベルト（29）が破断していると判定する。
【００１９】
第７の発明では、放熱側の冷凍サイクルの際に、ファンモータ回転状態で、高圧冷媒の圧力が所定の時間以上に亘って第１高圧基準値を上回るという第１高圧条件と、圧縮機（30）の運転容量が低容量領域に設定されている状態で高圧冷媒の圧力が所定の時間以上に亘って第２高圧基準値を上回るという第２高圧条件との少なくとも一方が成立する場合に、異常判定手段（55）が、ファンベルト（29）が破断していると判定する。第２高圧基準値は、上限圧力以上の正常範囲外の値であり、第１高圧条件で用いる第１高圧基準値よりも低い値になっている。ここで、圧縮機（30）の運転容量が制御可能な範囲の高容量領域に設定されている場合は、圧縮機（30）の運転容量を低下させると、高圧冷媒の圧力が低下する可能性がある。このため、圧縮機（30）の運転容量に関係なく、ファンベルト（29）が破断している否かを判定するベルト切れの判定を行う第１高圧条件では、高圧冷媒の圧力を低下させるための圧縮機（30）の運転容量の調節幅がどの程度残されているか分からないので、高圧冷媒の圧力が低下する可能性を考慮して、高圧冷媒の圧力の判定閾値である第１高圧基準値を設定する必要がある。これに対して、圧縮機（30）が低容量領域に設定されている状態でベルト切れの判定を行う第２高圧条件では、圧縮機（30）の運転容量の調節幅がそれほど残っていないことが分かっている。このため、第２高圧基準値は、第１高圧基準値よりも低い値に設定されている。従って、高圧冷媒の圧力の上昇に対しては、第１高圧条件よりも第２高圧条件の方が、速やかにファンベルト（29）が破断していることを検知できる。一方で、ファンベルト（29）が破断した場合に、圧縮機（30）の運転容量が低容量領域になる前に、高圧冷媒の圧力が第１高圧基準値以上となる場合もあり得る。そのような場合は、第２高圧条件よりも第１高圧条件の方が、速やかにファンベルト（29）が破断していることを検知できる。この第７の発明では、ファンベルト（29）が破断した後に圧縮機（30）の運転容量がすぐに低容量領域に低下しない場合に速やかにファンベルト（29）が破断していることを検知できる第１高圧条件と、高圧冷媒の圧力の上昇に対して速やかにファンベルト（29）が破断していることを検知できる第２高圧条件とが、ベルト切れの判定に用いられている。
【００２０】
第８の発明は、上記第１の発明において、上記熱交換器（37）が放熱器として動作する放熱側の冷凍サイクルでは、上記計測手段（46,48,50）が、該熱交換器（37）における冷媒の凝縮温度を上記判定用計測値として計測し、上記判定用計測値が所定の上限温度よりも低くなる範囲が上記正常範囲となる一方、上記放熱側の冷凍サイクル中の異常判定手段（55）は、上記ファンモータ回転状態で、上記判定用計測値が所定の時間以上に亘って上記上限温度以上になっているという条件が上記判定条件として成立する場合に、上記ファンベルト（29）が破断していると判定する。
【００２１】
第８の発明では、放熱側の冷凍サイクルを行う場合は、該冷凍サイクル中に送風ファン（14）が停止しているか否かが、凝縮温度が上限温度以上になっているか否かで判断できることを利用して、ファンベルト（29）が破断しているか否かが判定される。
【００２２】
第９の発明は、上記第８の発明において、上記放熱側の冷凍サイクルでは、上記判定用計測値が上記上限温度よりも低くなるように、上記圧縮機（30）の運転容量が調節され、上記放熱側の冷凍サイクル中の異常判定手段（55）は、上記ファンモータ回転状態で、上記判定用計測値が所定の時間以上に亘って上記上限温度よりも高い第１高温基準値を上回るという第１高温条件が、上記判定条件として成立する場合だけでなく、上記ファンモータ回転状態で且つ上記圧縮機（30）の運転容量が制御可能な範囲の低容量領域に設定されている状態で、上記判定用計測値が所定の時間以上に亘って上記上限温度以上で且つ上記第１高温基準値よりも低い第２高温基準値を上回るという第２高温条件が成立する場合にも、上記ファンベルト（29）が破断していると判定する。
【００２３】
第９の発明では、放熱側の冷凍サイクルの際に、ファンモータ回転状態で、凝縮温度が所定の時間以上に亘って第１高温基準値を上回るになっているという第１高温条件と、圧縮機（30）の運転容量が低容量領域に設定されている状態で凝縮温度が所定の時間以上に亘って第２高温基準値を上回るになっているという第２高温条件との少なくとも一方が成立する場合に、異常判定手段（55）が、ファンベルト（29）が破断していると判定する。第２高温基準値は、上限温度以上の正常範囲外の値であり、第１高温条件で用いる第１高温基準値よりも低い値になっている。この第９の発明では、ファンベルト（29）が破断した後に圧縮機（30）の運転容量がすぐに低容量領域に低下しない場合に速やかにファンベルト（29）が破断していることを検知できる第１高温条件と、凝縮温度の上昇に対して速やかにファンベルト（29）が破断していることを検知できる第２高温条件とが、ベルト切れの判定に用いられている。
【００２４】
第１０の発明は、運転容量が可変の圧縮機（30）と熱交換器（37）とが設けられて、冷媒を循環させて冷凍サイクルを行う冷媒回路（20）と、上記熱交換器（37）に空気を送る送風ファン（14）と、上記送風ファン（14）を駆動するためのファンモータ（28）と、上記ファンモータ（28）の動力を上記送風ファン（14）に伝達するファンベルト（29）とを備えた空気調和装置（10）を対象とする。そして、この空気調和装置（10）は、上記熱交換器（37）を流れる冷媒の状態を表す物理量を判定用計測値として計測する計測手段（46,48,50）と、上記冷凍サイクル中に上記判定用計測値が所定の正常範囲内になるように上記圧縮機（30）の運転容量を調節し、該判定用計測値が上記正常範囲から外れた場合には該圧縮機（30）の運転容量を低下させる運転制御手段（54）と、上記冷凍サイクル中に上記ファンモータ（28）が回転しているファンモータ回転状態で且つ上記圧縮機（30）の運転容量が制御可能な範囲の低容量領域に設定されている低容量状態で、所定の判定条件が成立すると上記ファンベルト（29）が破断していると判定する異常判定手段（55）とを備え、上記判定条件は、上記判定用計測値が所定の時間以上に亘って上記正常範囲から外れているという条件である。
【００２５】
第１０の発明では、計測手段（46,48,50）が、送風ファン（14）によって空気が送られる熱交換器（37）を流れる冷媒の状態を表す物理量を判定用計測値として計測する。そして、異常判定手段（55）が、ファンモータ回転状態で且つ低容量状態で、判定用計測値が所定の時間以上に亘って正常範囲から外れているという判定条件が成立する場合に、ファンベルト（29）が破断していると判定する。ここで、例えば、上記送風ファン（14）の空気が供給される熱交換器（37）が蒸発器として動作する空気調和装置（10）の場合には、上記熱交換器（37）を流れる冷媒の状態を表す物理量のうち、例えば圧縮機（30）に吸入される低圧冷媒の圧力が所定の下限圧力よりも高くなるように、圧縮機（30）の運転容量が調節される。つまり、低圧冷媒の圧力が下限圧力よりも高くなる範囲が、上記正常範囲に相当する。このような空気調和装置（10）では、冷凍サイクル中に送風ファン（14）が停止すると、上記熱交換器（37）における冷媒の吸熱量が大幅に減少する。その結果、上記熱交換器（37）における冷媒の温度が低下し、低圧冷媒の圧力が下限圧力以下になって正常範囲外となる。そして、低圧冷媒の圧力が低下すると、運転制御手段（54）が、低圧冷媒の圧力を上昇させようとして圧縮機（30）の運転容量を低下させる。また、例えば、上記送風ファン（14）の空気が供給される熱交換器（37）が放熱器として動作する空気調和装置（10）の場合には、上記熱交換器（37）を流れる冷媒の状態を表す物理量のうち、例えば圧縮機（30）から吐出された高圧冷媒の圧力が所定の上限圧力よりも低くなるように、圧縮機（30）の運転容量が調節される。つまり、高圧冷媒の圧力が上限圧力よりも低くなる範囲が、上記正常範囲に相当する。このような空気調和装置（10）では、冷凍サイクル中に送風ファン（14）が停止すると、上記熱交換器（37）における冷媒の放熱量が大幅に減少する。その結果、上記熱交換器（37）における冷媒の温度が上昇し、高圧冷媒の圧力が上限圧力以上になって正常範囲外となる。そして、高圧冷媒の圧力が上昇すると、運転制御手段（54）が、高圧冷媒の圧力を低下させようとして圧縮機（30）の運転容量を低下させる。このように、送風ファン（14）が停止すると、送風ファン（14）によって空気が送られる熱交換器（37）を流れる冷媒の状態を表す物理量が正常範囲外になると共に、圧縮機（30）の運転容量が低下するので、低容量状態で熱交換器（37）を流れる冷媒の状態を表す物理量が正常範囲外になる場合には、その送風ファン（14）が停止している状態になっていることが検知される。そして、ファンモータ回転状態では、送風ファン（14）が停止している原因が、ファンモータ（28）の停止ではないので、ファンベルト（29）が破断していることが検知される。従って、この第１０の発明では、異常判定手段（55）が、ファンモータ回転状態で且つ低容量状態で、熱交換器（37）を流れる冷媒の状態を表す物理量が所定の時間以上に亘って正常範囲から外れている場合に、ファンベルト（29）が破断していると判定する。
【００２６】
第１１の発明は、上記第１０の発明において、上記熱交換器（37）が蒸発器として動作する蒸発側の冷凍サイクルでは、上記計測手段（46,48,50）が、上記圧縮機（30）へ吸入される低圧冷媒の圧力を上記判定用計測値として計測し、上記判定用計測値が所定の下限圧力よりも高くなる範囲が上記正常範囲となる一方、上記蒸発側の冷凍サイクル中の異常判定手段（55）は、上記ファンモータ回転状態で且つ上記低容量状態で、上記判定用計測値が所定の時間以上に亘って上記下限圧力以下になっているという条件が上記判定条件として成立する場合に、上記ファンベルト（29）が破断していると判定する。
【００２７】
第１１の発明では、蒸発側の冷凍サイクルの際に、ファンモータ回転状態で且つ低容量状態で、圧縮機（30）へ吸入される低圧冷媒の圧力が所定の時間以上に亘って下限圧力以下になっている場合に、異常判定手段（55）が、ファンベルト（29）が破断していると判定する。ここで、蒸発側の冷凍サイクル中に送風ファン（14）が停止すると、熱交換器（37）における冷媒の吸熱量が大幅に減少し、低圧冷媒の圧力が下限圧力以下になる。また、低圧冷媒の圧力の低下に伴って、圧縮機（30）の運転容量は低下する。この第１１の発明では、蒸発側の冷凍サイクルを行う場合は、該冷凍サイクル中に送風ファン（14）が停止しているか否かが、低圧冷媒の圧力と圧縮機（30）の運転容量で判断できることを利用して、ファンベルト（29）が破断しているか否かが判定される。
【００２８】
第１２の発明は、上記第１０の発明において、上記熱交換器（37）が蒸発器として動作する蒸発側の冷凍サイクルでは、上記計測手段（46,48,50）が、該熱交換器（37）における冷媒の蒸発温度を上記判定用計測値として計測し、上記判定用計測値が所定の下限温度よりも高くなる範囲が上記正常範囲となる一方、上記蒸発側の冷凍サイクル中の異常判定手段（55）は、上記ファンモータ回転状態で且つ上記低容量状態で、上記判定用計測値が所定の時間以上に亘って上記下限温度以下になっているという条件が上記判定条件として成立する場合に、上記ファンベルト（29）が破断していると判定する。
【００２９】
第１２の発明では、蒸発側の冷凍サイクルを行う場合は、該冷凍サイクル中に送風ファン（14）が停止しているか否かが、蒸発温度と圧縮機（30）の運転容量で判断できることを利用して、ファンベルト（29）が破断しているか否かが判定される。
【００３０】
第１３の発明は、上記第１０の発明において、上記熱交換器（37）が放熱器として動作する放熱側の冷凍サイクルでは、上記計測手段（46,48,50）が、上記圧縮機（30）から吐出された高圧冷媒の圧力を上記判定用計測値として計測し、上記判定用計測値が所定の上限圧力よりも低くなる範囲が上記正常範囲となる一方、上記放熱側の冷凍サイクル中の異常判定手段（55）は、上記ファンモータ回転状態で且つ上記低容量状態で、上記判定用計測値が所定の時間以上に亘って上記上限圧力以上になっているという条件が上記判定条件として成立する場合に、上記ファンベルト（29）が破断していると判定する。
【００３１】
第１３の発明では、放熱側の冷凍サイクルの際に、ファンモータ回転状態で且つ低容量状態で、圧縮機（30）から吐出された高圧冷媒の圧力が所定の時間以上に亘って上限圧力以上になっている場合に、異常判定手段（55）が、ファンベルト（29）が破断していると判定する。ここで、放熱側の冷凍サイクル中に送風ファン（14）が停止すると、熱交換器（37）における冷媒の放熱量が大幅に減少し、高圧冷媒の圧力が上限圧力以上になる。また、高圧冷媒の圧力の上昇に伴って、圧縮機（30）の運転容量は低下する。この第１３の発明では、放熱側の冷凍サイクルを行う場合は、該冷凍サイクル中に送風ファン（14）が停止しているか否かが、高圧冷媒の圧力と圧縮機（30）の運転容量で判断できることを利用して、ファンベルト（29）が破断しているか否かが判定される。
【００３２】
第１４の発明は、上記第１０の発明において、上記熱交換器（37）が放熱器として動作する放熱側の冷凍サイクルでは、上記計測手段（46,48,50）が、該熱交換器（37）における冷媒の凝縮温度を上記判定用計測値として計測し、上記判定用計測値が所定の上限温度よりも低くなる範囲が上記正常範囲となる一方、上記放熱側の冷凍サイクル中の異常判定手段（55）は、上記ファンモータ回転状態で且つ上記低容量状態で、上記判定用計測値が所定の時間以上に亘って上記上限温度以上になっているという条件が上記判定条件として成立する場合に、上記ファンベルト（29）が破断していると判定する。
【００３３】
第１４の発明では、放熱側の冷凍サイクルを行う場合は、該冷凍サイクル中に送風ファン（14）が停止しているか否かが、凝縮温度と圧縮機（30）の運転容量で判断できることを利用して、ファンベルト（29）が破断しているか否かが判定される。
【００３４】
第１５の発明は、上記第１又は第１０の発明において、上記熱交換器（37）及び上記送風ファン（14）を収容するケーシング（15）内には、該熱交換器（37）及び該送風ファン（14）が配置されて、上向きに空気が流れる空気通路（31）が形成される一方、上記異常判定手段（55）は、上記熱交換器（37）が蒸発器として動作する冷凍サイクル中に、上記ファンモータ回転状態で上記判定条件が成立する場合だけでなく、該ファンモータ回転状態で、上記空気通路（31）における熱交換器（37）の下方の空気の温度が、所定の時間以上に亘って、所定の低温空気基準値よりも低くなる場合にも、上記ファンベルト（29）が破断していると判定する。
【００３５】
第１５の発明では、上記熱交換器（37）が蒸発器として動作する冷凍サイクル中に、熱交換器（37）を流れる冷媒の状態を表す物理量に基づく判定条件が未成立であっても、ファンモータ回転状態で、空気通路（31）における熱交換器（37）の下方の空気の温度が、所定の時間以上に亘って、所定の低温空気基準値よりも低くなる場合には、異常判定手段（55）が、ファンベルト（29）が破断していると判定する。ここで、熱交換器（37）が蒸発器として動作する冷凍サイクル中に送風ファン（14）が停止すると、空気通路（31）では、熱交換器（37）によって冷却された空気が下方へ移動する。その結果、空気通路（31）における熱交換器（37）の下方の空気の温度が低下してゆく。送風ファン（14）の停止に伴って、熱交換器（37）の冷媒の温度は低下するので、熱交換器（37）の下方の空気の温度は比較的大きく低下する。この第１５の発明では、熱交換器（37）が蒸発器として動作する冷凍サイクル中に送風ファン（14）が停止すると、空気通路（31）における熱交換器（37）の下方の空気の温度が比較的大きく低下することに着目して、空気通路（31）における熱交換器（37）の下方の空気の温度変化に基づいて、ファンベルト（29）が破断しているか否かが判定される。
【００３６】
第１６の発明は、上記第１又は第１０の発明において、上記熱交換器（37）及び上記送風ファン（14）を収容するケーシング（15）内には、該熱交換器（37）及び該送風ファン（14）が配置されて、上向きに空気が流れる空気通路（31）が形成される一方、上記異常判定手段（55）は、上記熱交換器（37）が放熱器として動作する冷凍サイクル中に、上記ファンモータ回転状態で上記判定条件が成立する場合だけでなく、上記ファンモータ回転状態で、上記空気通路（31）における熱交換器（37）の上方の空気の温度が、所定の時間以上に亘って、所定の高温空気基準値よりも高くなる場合にも、上記ファンベルト（29）が破断していると判定する。
【００３７】
第１６の発明では、上記熱交換器（37）が放熱器として動作する冷凍サイクル中に、熱交換器（37）を流れる冷媒の状態を表す物理量に基づく判定条件が未成立であっても、ファンモータ回転状態で、空気通路（31）における熱交換器（37）の上方の空気の温度が、所定の時間以上に亘って、所定の高温空気基準値よりも高くなる場には、異常判定手段（55）が、ファンベルト（29）が破断していると判定する。ここで、上記熱交換器（37）が放熱器として動作する冷凍サイクル中に送風ファン（14）が停止すると、空気通路（31）では、熱交換器（37）によって加熱された空気が上方へ移動する。その結果、空気通路（31）における熱交換器（37）の上方の空気の温度が上昇してゆく。送風ファン（14）の停止に伴って、熱交換器（37）の冷媒の温度は上昇するので、熱交換器（37）の上方の空気の温度は比較的大きく上昇する。この第１６の発明では、上記熱交換器（37）が放熱器として動作する冷凍サイクル中に送風ファン（14）が停止すると、空気通路（31）における熱交換器（37）の上方の空気の温度が比較的大きく上昇することに着目して、空気通路（31）における熱交換器（37）の上方の空気の温度変化に基づいて、ファンベルト（29）が破断しているか否かが判定される。
【００３８】
第１７の発明は、上記第１又は第１０の発明において、上記送風ファン（14）及び上記熱交換器（37）を収容するケーシング（15）内には、該熱交換器（37）及び該送風ファン（14）が配置された空気通路（31）が形成され、上記空気通路（31）には、該熱交換器（37）を通過した空気に水分を付与する加湿装置（19）が設けられる一方、上記異常判定手段（55）は、上記加湿装置（19）の運転中に、上記ファンモータ回転状態で上記空気通路（31）の湿度の単位時間当たりの上昇率が所定の湿度基準値よりも大きくなる場合に、上記判定条件が成立するか否かを判定する動作を行うことなく、上記ファンベルト（29）が破断していると判定する。
【００３９】
第１７の発明では、加湿装置（19）の運転中に、ファンモータ回転状態で、空気通路（31）の湿度の単位時間当たりの上昇率が所定の湿度基準値よりも大きくなる場合には、判定条件が成立するか否かを判定する動作を行うことなく、異常判定手段（55）が、ファンベルト（29）が破断していると判定する。ここで、加湿装置（19）の運転中に送風ファン（14）が停止すると、空気通路（31）の湿度が徐々に上昇してゆく。この第１７の発明では、加湿装置（19）の運転中に送風ファン（14）が停止すると、空気通路（31）の湿度が上昇することに着目して、空気通路（31）の湿度の単位時間当たりの上昇率に基づいて、ファンベルト（29）が破断しているか否かが判定される。
【００４０】
第１８の発明は、上記第１乃至第１７の何れか１つの発明において、上記冷凍サイクル中の異常判定手段（55）は、上記ファンモータ（28）に供給されるモータ電流の電流値の単位時間当たりの低下率が所定の電流基準値よりも小さくなる場合に、上記判定条件が成立するか否かを判定する動作を行う。
【００４１】
第１８の発明では、ファンモータ（28）に供給されるモータ電流の電流値の単位時間当たりの低下率が所定の電流基準値よりも小さくなる場合に、判定条件が成立するか否かを判定する動作が行われる。ここで、ファンベルト（29）が破断すると、ファンモータ（28）の負荷が減少するので、モータ電流が小さくなる。つまり、モータ電流の電流値の変化率によれば、ファンベルト（29）が破断しているか否かがある程度判断できる。このため、この第１８の発明では、モータ電流の電流値の変化率に基づいて、上記動作を行うか否かが判断される。
【００４２】
第１９の発明は、上記第１乃至第１７の何れか１つの発明において、上記冷凍サイクル中の異常判定手段（55）は、上記送風ファン（14）の回転速度の単位時間当たりの低下率が所定の回転速度基準値よりも小さくなる場合に、上記判定条件が成立するか否かを判定する動作を行う。
【００４３】
第１９の発明では、送風ファン（14）の回転速度の所定時間当たりの低下率が所定の回転速度基準値よりも小さくなるる場合に、判定条件が成立するか否かを判定する動作が行われる。ここで、ファンベルト（29）が破断すると、送風ファン（14）の回転速度が低下する。つまり、送風ファン（14）の回転速度の変化率によれば、ファンベルト（29）が破断しているか否かがある程度判断できる。このため、この第１９の発明では、送風ファン（14）の回転速度の変化率に基づいて、上記動作を行うか否かが判断される。
【発明の効果】
【００４４】
上記第１乃至第９の各発明では、送風ファン（14）が停止すると、熱交換器（37）を流れる冷媒の状態を表す物理量が正常範囲外になるので、ファンモータ回転状態で、熱交換器（37）を流れる冷媒の状態を表す物理量が、所定の時間以上に亘って正常範囲から外れている場合に、異常判定手段（55）がファンベルト（29）が破断していると判定する。従って、ファンベルト（29）が破断していることを検知可能な空気調和装置（10）を実現することができる。
【００４５】
また、上記第２、第４の各発明では、上記熱交換器（37）が蒸発器として動作する冷凍サイクルを行う場合は、該冷凍サイクル中に送風ファン（14）が停止しているか否かが、低圧冷媒の圧力が下限圧力以下（又は、熱交換器（37）における冷媒の蒸発温度が下限温度以下）になっているか否かで判断できることを利用して、ファンベルト（29）が破断しているか否かが判定される。このため、上記熱交換器（37）が蒸発器として動作する冷凍サイクルを行う空気調和装置（10）として、ファンベルト（29）が破断していることを検知可能な空気調和装置（10）を実現することができる。
【００４６】
また、上記第３、第５の各発明では、ファンベルト（29）が破断した後に圧縮機（30）の運転容量がすぐに低容量領域に低下しない場合に速やかにファンベルト（29）が破断していることを検知できる条件と、低圧冷媒の圧力の低下（又は、蒸発温度の低下）に対して速やかにファンベルト（29）が破断していることを検知できる条件とが、ベルト切れの判定に用いられている。このため、ファンベルト（29）が破断した後に、圧縮機（30）の運転容量がすぐに低容量領域に低下する場合であっても、すぐに低容量領域に低下しない場合であっても、速やかにファンベルト（29）が破断していることを検知できる。
【００４７】
また、上記第６、第８の各発明では、上記熱交換器（37）が放熱器として動作する冷凍サイクルを行う場合は、該冷凍サイクル中に送風ファン（14）が停止しているか否かが、高圧冷媒の圧力が上限圧力以上（又は、熱交換器（37）における冷媒の凝縮温度が上限温度以上）になっているか否かで判断できることを利用して、ファンベルト（29）が破断しているか否かが判定される。このため、熱交換器（37）が放熱器として動作する冷凍サイクルを行う空気調和装置（10）として、ファンベルト（29）が破断していることを検知可能な空気調和装置（10）を実現することができる。
【００４８】
また、上記第７、第９の各発明では、ファンベルト（29）が破断した後に圧縮機（30）の運転容量がすぐに低容量領域に低下しない場合に速やかにファンベルト（29）が破断していることを検知できる条件と、高圧冷媒の圧力の上昇（又は、蒸発温度の上昇）に対して速やかにファンベルト（29）が破断していることを検知できる条件とが、ベルト切れの判定に用いられている。このため、ファンベルト（29）が破断した後に、圧縮機（30）の運転容量がすぐに低容量領域に低下する場合であっても、すぐに低容量領域に低下しない場合であっても、速やかにファンベルト（29）が破断していることを検知できる。
【００４９】
また、上記第１０乃至第１４の各発明では、送風ファン（14）が停止すると、熱交換器（37）を流れる冷媒の状態を表す物理量が正常範囲外になると共に、圧縮機（30）の運転容量が低下するので、異常判定手段（55）が、ファンモータ回転状態で且つ低容量状態で、熱交換器（37）を流れる冷媒の状態を表す物理量が所定の時間以上に亘って正常範囲から外れている場合に、ファンベルト（29）が破断していると判定する。従って、ファンベルト（29）が破断していることを検知可能な空気調和装置（10）を実現することができる。
【００５０】
また、上記第１１、第１２の各発明では、上記熱交換器（37）が蒸発器として動作する冷凍サイクルを行う場合は、該冷凍サイクル中に送風ファン（14）が停止しているか否かが、低圧冷媒の圧力（又は、蒸発温度）と圧縮機（30）の運転容量で判断できることを利用して、ファンベルト（29）が破断しているか否かが判定される。このため、上記熱交換器（37）が蒸発器として動作する冷凍サイクルを行う空気調和装置（10）として、ファンベルト（29）が破断していることを検知可能な空気調和装置（10）を実現することができる。
【００５１】
また、上記第１３、第１４の各発明では、上記熱交換器（37）が放熱器として動作する冷凍サイクルを行う場合は、該冷凍サイクル中に送風ファン（14）が停止しているか否かが、高圧冷媒の圧力（又は、凝縮温度）と圧縮機（30）の運転容量で判断できることを利用して、ファンベルト（29）が破断しているか否かが判定される。このため、上記熱交換器（37）が放熱器として動作する冷凍サイクルを行う空気調和装置（10）として、ファンベルト（29）が破断していることを検知可能な空気調和装置（10）を実現することができる。
【００５２】
また、上記第１５の発明では、熱交換器（37）が蒸発器として動作する冷凍サイクル中に送風ファン（14）が停止すると、空気通路（31）における熱交換器（37）の下方の空気の温度が比較的大きく低下することに着目して、空気通路（31）における熱交換器（37）の下方の空気の温度変化に基づいて、ファンベルト（29）が破断しているか否かが判定される。熱交換器（37）を流れる冷媒の状態を表す物理量の変化に基づく判定条件が未成立であっても、空気通路（31）における熱交換器（37）の下方の空気の温度変化が所定の条件を満たせば、ファンベルト（29）が破断していると判定される。従って、ファンベルト（29）が破断していることを確実に検知できる。
【００５３】
また、上記第１６の発明では上記熱交換器（37）が放熱器として動作する冷凍サイクル中に送風ファン（14）が停止すると、空気通路（31）における熱交換器（37）の上方の空気の温度が比較的大きく上昇することに着目して、空気通路（31）における熱交換器（37）の上方の空気の温度変化に基づいて、ファンベルト（29）が破断しているか否かが判定される。熱交換器（37）を流れる冷媒の状態を表す物理量の変化に基づく判定条件が未成立であっても、空気通路（31）における熱交換器（37）の上方の空気の温度変化が所定の条件を満たせば、ファンベルト（29）が破断していると判定される。従って、ファンベルト（29）が破断していることを確実に検知できる。
【００５４】
また、上記第１７の発明では、加湿装置（19）の運転中に送風ファン（14）が停止すると、空気通路（31）の湿度が上昇することに着目して、空気通路（31）の湿度の単位時間当たりの上昇率に基づいて、ファンベルト（29）が破断しているか否かが判定される。判定条件が成立するか否かを判定する動作を行う前であっても、空気通路（31）の湿度の変化率が所定の条件を満たせば、ファンベルト（29）が破断していると判定される。従って、加湿装置（19）の運転中に速やかにファンベルト（29）が破断していることを検知できる。
【００５５】
また、上記第１８の発明では、モータ電流の電流値の変化率に基づいて、判定条件が成立するか否かを判定する動作を行うか否かが判断される。モータ電流の電流値の変化率が所定の条件を満たさない場合には、上記動作は実行されない。従って、上記動作を適切に実行することができる。
【００５６】
また、上記第１９の発明では、送風ファン（14）の回転速度の変化率に基づいて、判定条件が成立するか否かを判定する動作を行うか否かが判断される。送風ファン（14）の回転速度の変化率が所定の条件を満たさない場合には、上記動作は実行されない。従って、上記動作を適切に実行することができる。
【発明を実施するための最良の形態】
【００５７】
以下、本発明の実施形態を図面に基づいて詳細に説明する。
【００５８】
本実施形態は、図１に示すように、室外機（11）と室内機（13）とを備えた空気調和装置（10）である。室外機（11）内には、室外回路（21）が設けられている。室内機（13）内には、室内回路（22）が設けられている。この空気調和装置（10）では、室外回路（21）と室内回路（22）とを液側連絡配管（23）及びガス側連絡配管（24）で接続することによって蒸気圧縮冷凍サイクルを行う冷媒回路（20）が構成されている。
【００５９】
《室外機の構成》
室外機（11）の室外回路（21）には、圧縮機（30）、室外熱交換器（34）、膨張弁（36）、及び四路切換弁（33）が設けられている。室外回路（21）の一端には、液側連絡配管（23）が接続される液側閉鎖弁（25）が設けられている。室外回路（21）の他端には、ガス側連絡配管（24）が接続されるガス側閉鎖弁（26）が設けられている。
【００６０】
圧縮機（30）は、密閉型で高圧ドーム型の圧縮機として構成されている。圧縮機（30）には、インバータを介して電力が供給される。この圧縮機（30）は、インバータの出力周波数を変化させてモータの回転速度を変更することによって、その容量が変更可能となっている。圧縮機（30）の吐出側は、吐出管（40）を介して四路切換弁（33）の第１ポート（P1）に接続されている。圧縮機（30）の吸入側は、吸入管（41）を介して四路切換弁（33）の第３ポート（P3）に接続されている。
【００６１】
室外熱交換器（34）は、クロスフィン式のフィン・アンド・チューブ型熱交換器として構成されている。この室外熱交換器（34）の近傍には、室外ファン（12）が設けられている。室外ファン（12）の回転軸にはファンモータが直接連結されている。この室外熱交換器（34）では、室外ファン（12）によって送られる室外空気と、室外熱交換器（34）を流通する冷媒との間で熱交換が行われる。室外熱交換器（34）の一端は、四路切換弁（33）の第４ポート（P4）に接続されている。室外熱交換器（34）の他端は、液配管（42）を介して液側閉鎖弁（25）に接続されている。この液配管（42）には、開度可変の膨張弁（36）が設けられている。また、四路切換弁（33）の第２ポート（P2）はガス側閉鎖弁（26）が接続されている。
【００６２】
四路切換弁（33）は、第１ポート（P1）と第２ポート（P2）が互いに連通して第３ポート（P3）と第４ポート（P4）が互いに連通する第１状態（図１に実線で示す状態）と、第１ポート（P1）と第４ポート（P4）が互いに連通して第２ポート（P2）と第３ポート（P3）が互いに連通する第２状態（図１に破線で示す状態）とが切り換え可能となっている。
【００６３】
室外回路（21）における圧縮機（30）の吐出側には、圧縮機（30）から吐出された冷媒の温度を計測する吐出温度センサ（47）と、圧縮機（30）から吐出された冷媒の圧力を計測する吐出圧力センサ（48）とが設けられている。また、圧縮機（30）の吸入側には、圧縮機（30）に吸入される冷媒の温度を計測する吸入温度センサ（49）と、圧縮機（30）に吸入される冷媒の圧力を計測する吸入圧力センサ（50）とが設けられている。また、室外回路（21）には、室外熱交換器（34）のガス側の冷媒の温度を計測する室外ガス温度センサ（43）と、室外熱交換器（34）の液側の冷媒の温度を計測する室外液温度センサ（44）とが設けられている。
【００６４】
《室内機の構成》
室内機（13）の室内回路（22）には、室内熱交換器（37）が設けられている。室内熱交換器（37）は、クロスフィン式のフィン・アンド・チューブ型熱交換器として構成されている。この室内熱交換器（37）の近傍には、シロッコファンにより構成された室内ファン（14）が設けられている。室内ファン（14）は、ファンベルト（29）を介してファンモータ（28）の動力が伝達される送風ファン（14）により構成されている。この室内熱交換器（37）では、室内ファン（14）によって送られる室内空気と、室内熱交換器（37）を流通する冷媒との間で熱交換が行われる。
【００６５】
室内回路（22）では、室内熱交換器（37）のガス側の冷媒の温度を計測する室内ガス温度センサ（45）と、室内熱交換器（37）の液側の冷媒の温度を計測する室内液温度センサ（46）とが設けられている。
【００６６】
図２に示すように、室内機（13）は、その構成機器を収容する室内機ケーシング（15）を備えている。室内機ケーシング（15）には、吸込口（16）と吹出口（17）とが形成されている。室内機ケーシング（15）内には、吸込口（16）から吹出口（17）へ向かって上向きに空気が流れる空気通路（31）が形成されている。
【００６７】
吸込口（16）は、室内機ケーシング（15）の側壁の下部に形成されている。吸込口（16）には、室内に連通する状態と室外に連通する状態とを切り換え可能な吸込ダクトが接続されている。吹出口（17）は、室内機ケーシング（15）の天板に形成されている。吹出口（17）には、複数の室内空間に繋がる吹出ダクトが接続されている。
【００６８】
空気通路（31）では、室内熱交換器（37）が斜めに設置されている。室内熱交換器（37）は、空気通路（31）を吸込口（16）側と吹出口（17）側とに区画するように配置されている。室内熱交換器（37）の上端は、室内機ケーシング（15）のうち吸込口（16）が形成された前面付近に位置している。一方、室内熱交換器（37）の下端は、室内機ケーシング（15）の背面付近に位置している。
【００６９】
また、空気通路（31）では、室内熱交換器（37）の上方に、室内ファン（14）が配置されている。室内ファン（14）の吹出口は、室内機ケーシング（15）の吹出口（17）に接続されている。また、室内ファン（14）の斜め下方には、ファンモータ（28）が配置されている。ファンモータ（28）の回転軸に連結されたモータ側プーリと、室内ファン（14）の回転軸に連結されたファン側プーリには、ゴム製のファンベルト（29）が巻き掛けられている。ファンベルト（29）は、ファンモータ（28）の動力を室内ファン（14）に伝達する。また、空気通路（31）には、室内熱交換器（37）を通過した空気に水分を付与する加湿装置（19）が設けられている。
【００７０】
また、室内機ケーシング（15）内には、吸込口（16）から吸い込まれた空気の温度を計測する吸込空気温度センサ（51）と、吸込口（16）から吸い込まれた空気の湿度を計測する吸込空気湿度センサ（52）と、室内ファン（14）から吹き出される空気の温度を計測する吹出空気温度センサ（53）とが設けられている。
【００７１】
また、室内機ケーシング（15）の底板上には、電装品ユニット（27）が設置されている。電装品ユニット（27）には、交流電源からの電力をファンモータ（28）へ供給するための電力供給回路が設けられている。電力供給回路には、ファンモータ（28）を流れるモータ電流の電流値を計測するための電流検出部が接続されている。また、電力供給回路には、ファンモータ（28）に過電流が流れる場合に、ファンモータ（28）への電力の供給を停止させる過電流保護部が接続されている。過電流保護部は、例えば、モータ電流が所定の閾値を上回る状態が所定の時間継続する場合に、モータ電流を遮断する。
【００７２】
−冷凍装置の運転動作−
次に、空気調和装置（10）の運転動作について説明する。この空気調和装置（10）では、四路切換弁（33）によって冷房運転と暖房運転の切り換えが行われる。冷房運転及び暖房運転中は、吸込ダクトが室内に連通する状態に設定される。
【００７３】
また、この空気調和装置（10）は、冷凍サイクルを実行せずに室内ファン（14）を駆動させる換気運転が実行可能になっている。換気運転中は、吸込ダクトが室外に連通する状態に設定される。以下では、冷房運転及び暖房運転における冷媒の流れについて説明する。
【００７４】
<冷房運転>
冷房運転では、四路切換弁（33）が第２状態に設定される。そして、この状態で圧縮機（30）を運転すると、冷媒回路（20）では室外熱交換器（34）が凝縮器となって室内熱交換器（37）が蒸発器となる冷凍サイクルが行われる。この冷凍サイクルは、上記蒸発側の冷凍サイクルに相当する。なお、冷房運転では、膨張弁（36）の開度が適宜調節される。
【００７５】
具体的に、圧縮機（30）から吐出された冷媒は、室外熱交換器（34）で室外空気と熱交換して凝縮する。室外熱交換器（34）で凝縮した冷媒は、膨張弁（36）を通過する際に減圧され、その後に室内熱交換器（37）で室内空気と熱交換して蒸発する。室内熱交換器（37）で蒸発した冷媒は、圧縮機（30）へ吸入されて圧縮される。
【００７６】
<暖房運転>
暖房運転では、四路切換弁（33）が第１状態に設定される。そして、この状態で圧縮機（30）を運転すると、冷媒回路（20）では室外熱交換器（34）が蒸発器となって室内熱交換器（37）が凝縮器となる冷凍サイクルが行われる。この冷凍サイクルは、上記放熱側の冷凍サイクルに相当する。なお、暖房運転においても、膨張弁（36）の開度が適宜調節される。
【００７７】
具体的に、圧縮機（30）から吐出された冷媒は、室内熱交換器（37）で室内空気と熱交換して凝縮する。室内熱交換器（37）で凝縮した冷媒は、膨張弁（36）を通過する際に減圧され、その後に室外熱交換器（34）で室外空気と熱交換して蒸発する。室外熱交換器（34）で蒸発した冷媒は、圧縮機（30）へ吸入されて圧縮される。
【００７８】
《コントローラ》
この空気調和装置（10）は、ユーザーにより入力される設定温度等に基づいて空気調和装置（10）の動作を制御するコントローラ（35）を備えている。コントローラ（35）は、冷媒回路（20）の動作及びファン（12,14）の動作を制御する運転制御手段（54）を構成する運転制御部（54）と、ファンベルト（29）が破断しているか否かを判定するための異常判定手段（55）を構成する異常判定部（55）と、異常判定部（55）によりファンベルト（29）が破断していることが検出された場合にベルト切れ警報を出力する異常発報部（56）とを備えている。
【００７９】
運転制御部（54）は、圧縮機（30）の運転容量を制御するように構成されている。運転制御部（54）では、冷房運転中に、室内熱交換器（37）における冷媒の蒸発温度Ｔｅの目標値として、目標蒸発温度が設定される。目標蒸発温度の初期値は例えば５℃に設定されている。目標蒸発温度は、運転条件によって変動する場合があるが、必ず所定の下限温度（例えば０℃）よりも高い温度に設定される。冷房運転中の運転制御部（54）は、吸入圧力センサ（50）の計測圧力に相当する飽和温度を蒸発温度Ｔｅとして算出し、算出した蒸発温度Ｔｅが目標蒸発温度になるように、圧縮機（30）の運転容量を制御する。冷房運転中は、下限温度に相当する飽和圧力が下限圧力となる。冷房運転中は、室内熱交換器（37）における冷媒の蒸発温度が下限温度よりも高くなる範囲（圧縮機（30）に吸入される低圧冷媒の圧力が下限圧力よりも高くなる範囲）を、冷凍サイクル中に送風ファン（14）がファンモータ（28）により駆動されている状態においてなり得る正常範囲として、圧縮機（30）の運転容量が調節される。
【００８０】
また、運転制御部（54）では、暖房運転中に、室内熱交換器（37）における冷媒の凝縮温度Ｔｃの目標値として、目標凝縮温度が設定される。目標凝縮温度の初期値は例えば４５℃に設定されている。目標凝縮温度は、運転条件によって変動する場合があるが、必ず所定の上限温度（例えば５０℃）よりも低い温度に設定される。暖房運転中の運転制御部（54）は、吐出圧力センサ（48）の計測圧力に相当する飽和温度を凝縮温度Ｔｃとして算出し、算出した凝縮温度Ｔｃが目標凝縮温度になるように、圧縮機（30）の運転容量を制御する。暖房運転中は、上限温度に相当する飽和圧力が上限圧力となる。暖房運転中は、室内熱交換器（37）における冷媒の凝縮温度が上限温度よりも低くなる範囲（圧縮機（30）から吐出された高圧冷媒の圧力が上限圧力よりも低くなる範囲）を、正常範囲として、圧縮機（30）の運転容量が調節される。
【００８１】
また、運転制御部（54）は、冷房運転中に吸入圧力センサ（50）の計測圧力が所定の垂下判定低圧圧力以下になっている場合に、圧縮機（30）の運転容量を強制的に低下させる低圧側垂下動作を行う。また、運転制御部（54）は、暖房運転中に吐出圧力センサ（48）の計測圧力が所定の垂下判定高圧圧力以上になっている場合に、圧縮機（30）の運転容量を強制的に低下させる高圧側垂下動作を行う。
【００８２】
また、運転制御部（54）は、膨張弁（36）の開度を調節するように構成されている。運転制御部（54）には、蒸発器から流出した冷媒の過熱度の目標値として、目標過熱度（例えば５℃）が設定されている。冷房運転中の運転制御部（54）は、室内ガス温度センサ（45）の計測温度から吸入圧力センサ（50）の計測圧力に相当する飽和温度（蒸発温度）を引いた値を、室内熱交換器（37）から流出した冷媒の過熱度として算出し、算出した過熱度が目標過熱度になるように、膨張弁（36）の開度を調節する。また、暖房運転中の運転制御部（54）は、室外ガス温度センサ（43）の計測温度から吸入圧力センサ（50）の計測圧力に相当する飽和温度（蒸発温度）を引いた値を、室外熱交換器（34）から流出した冷媒の過熱度として算出し、算出した過熱度が目標過熱度になるように、膨張弁（36）の開度を調節する。
【００８３】
異常判定部（55）は、空気調和装置（10）の運転中に、ファンベルト（29）が破断しているか否かを判定するベルト切れの判定を行うように構成されている。ベルト切れの判定は、ファン停止確認動作と、吸込湿度確認動作と、主判定動作とから構成されている。以下では、ベルト切れの判定について、図３に示すフローチャートを参照しながら説明する。
【００８４】
ベルト切れの判定では、まずステップＳＴ１が行われる。ステップＳＴ１では、異常判定部（55）が、ファン停止確認動作として、第１条件が成立しているか否かを判定する動作を行う。第１条件は、下記の式１及び式２の少なくとも一方が成立する場合に成立する。異常判定部（55）は、第１条件が成立する場合には、ファンモータ（28）が回転しているファンモータ回転状態であると判断して、ステップＳＴ２へ移行する。第１条件が成立しない場合には、再びステップＳＴ１が行われる。ファンモータ回転状態は、過電流保護部によってモータ電流が遮断されていない状態である。ステップＳＴ２以降のステップＳＴは、ファンモータ回転状態になっている場合に行われる。
【００８５】
式１：モータ電流の低下率Ａ＜電流基準値Ａ１
式２：ファン回転速度の低下率Ｎ＜回転速度基準値Ｎ１
上記式１において、モータ電流の低下率Ａは、ファンモータ（28）に供給されるモータ電流の電流値の単位時間当たりの低下率である。異常判定部（55）は、電流検出部により検出されるモータ電流の単位時間当たり（例えば、１秒当たり）の低下率を、モータ電流の低下率Ａとして検出する。また、電流基準値Ａ１は、異常判定部（55）に予め設定された判定閾値である。
【００８６】
また、上記式２において、ファン回転速度の低下率Ｎは、室内ファン（14）の回転速度の単位時間当たりの低下率である。異常判定部（55）は、室内ファン（14）の回転軸に設けられた回転速度センサの検出速度の単位時間当たり（例えば、１秒当たり）の低下率を、ファン回転速度の低下率Ｎとして検出する。また、回転速度基準値Ｎ１は、異常判定部（55）に予め設定された判定閾値である。
【００８７】
ステップＳＴ２では、異常判定部（55）が、吸込湿度確認動作として、第２条件が成立しているか否かを判定する動作を行う。第２条件は、加湿装置（19）の運転中に、下記の式３が成立する状態が所定の時間ｔ１（例えば、ｔ１＝５分）継続する場合に、成立する。異常判定部（55）は、第２条件が成立する場合には、ファンベルト（29）が破断していると判定して、ステップＳＴ９へ移行する。第２条件が成立しない場合には、ステップＳＴ３へ移行する。
【００８８】
式３：吸込湿度の上昇率Ｈｕｓ＞湿度基準値Ｈｕｓ１
上記式３において、吸込湿度の上昇率Ｈｕｓは、吸込空気湿度センサ（52）の計測湿度の単位時間当たり（例えば、１分当たり）の上昇率である。吸込空気湿度センサ（52）の計測湿度は、空気通路（31）の湿度を反映している。また、湿度基準値Ｈｕｓ１は、異常判定部（55）に予め設定された判定閾値（例えば、５％／分）である。
【００８９】
本実施形態の異常判定部（55）は、ファンモータ回転状態で、空気通路（31）の湿度の単位時間当たりの上昇率Ｈｕｓが湿度基準値Ｈｕｓ１よりも大きくなる状態の継続時間が所定の時間に達する場合には、後述する主判定動作を行うことなく、ファンベルト（29）が破断していると判定する。
【００９０】
ステップＳＴ３からステップＳＴ８までが、主判定動作となる。ステップＳＴ３では、異常判定部（55）が、空気調和装置（10）の運転状態を確認し、次にどのステップＳＴへ移行するかを判断する。空気調和装置（10）の運転状態が、冷房運転中で圧縮機（30）の運転が行われている冷房サーモオン状態である場合には、ステップＳＴ４へ移行する。また、空気調和装置（10）の運転状態が、暖房運転中で圧縮機（30）の運転が行われている暖房サーモオン状態である場合には、ステップＳＴ６へ移行する。また、空気調和装置（10）の運転状態が、冷房サーモオン状態でも暖房サーモオン状態でもない場合には、ステップＳＴ８へ移行する。
【００９１】
ステップＳＴ４では、異常判定部（55）が、第３条件が成立しているか否かを判定するする動作を行う。第３条件は、下記の式４が成立する状態が所定時間ｔ２（例えば、ｔ２＝５分）継続するという第３−１条件と、運転制御部（54）が低圧側垂下動作中であるという第３−２条件と、下記の式５が成立する状態が所定時間ｔ３（例えば、ｔ３＝５分）継続するという第３−３条件との少なくとも１つが成立する場合に、成立する。異常判定部（55）は、第３条件が成立する場合には、ファンベルト（29）が破断していると判定して、ステップＳＴ９へ移行する。第３条件が成立しない場合には、ステップＳＴ５へ移行する。
【００９２】
式４：低圧圧力ＬＰ＜第１低圧基準値ＬＰ１
式５：吹出温度Ｔｆ＋所定値＞吸込温度Ｔｓ
上記式４において、低圧圧力ＬＰは吸入圧力センサ（50）の計測圧力（判定用計測値）である。吸入圧力センサ（50）は、室内熱交換器（37）を流れる冷媒の状態を表す物理量を判定用計測値として計測する計測手段（46,48,50）を構成している。また、第１低圧基準値ＬＰ１は、異常判定部（55）に予め設定された判定閾値（例えば、０．２ＭＰａ）である。第１低圧基準値ＬＰ１は、下限圧力よりも低く、垂下判定低圧圧力よりも高い値に設定されている。第３−１条件は、室内熱交換器（37）を流れる冷媒の状態を表す物理量が所定の時間以上に亘って正常範囲から外れているという判定条件の１つである。第３−１条件は、圧縮機（30）に吸入される低圧冷媒の圧力ＬＰが、所定の時間以上に亘って、下限圧力よりも低い第１低圧側基準値ＬＰ１未満になっているという第１低圧条件を構成している。
【００９３】
なお、第３条件において、蒸発温度Ｔｅの変化に基づいてファンベルト（29）が破断しているか否かを判定してもよい。具体的に、第３条件において、第３−１条件の代わりに、、下記の式６が成立する状態の継続時間が所定時間（例えば、５分間）以上であるという第３−４条件を用いる。
【００９４】
式６：蒸発温度Ｔｅ＜第１低温基準値Ｔｅ１
上記式６において、蒸発温度Ｔｅは、室内液温度センサ（46）の計測温度（判定用計測値）である。室内液温度センサ（46）は計測手段（46,48,50）を構成している。また、第１低温基準値Ｔｅ１は、異常判定部（55）に予め設定された判定閾値であり、下限温度よりも低い値に設定されている。第３−４条件は、上記判定条件の１つであり、室内熱交換器（37）における冷媒の蒸発温度Ｔｅが、所定の時間以上に亘って、下限温度よりも低い第１低温側基準値Ｔｅ１未満になっているという第１低温条件を構成している。
【００９５】
また、低圧圧力ＬＰに基づく第３−１条件と、蒸発温度Ｔｅに基づく第３−４条件とを併用してもよい。この場合、異常判定部（55）は、第３−１条件と第３−４条件の少なくとも一方が成立する場合に、ファンベルト（29）が破断していると判定する。
【００９６】
また、上記式５において、吸込温度Ｔｓは吸込空気温度センサ（51）の計測温度である。また、吹出温度Ｔｆは吹出空気温度センサ（53）の計測温度である。本実施形態では、吹出温度Ｔｆに所定値（例えば、３℃）を加えた値が低温空気基準値を構成している。本実施形態の異常判定部（55）は、判定条件を構成する第３−１条件（第３−４条件）が成立する場合だけでなく、ファンモータ回転状態で、空気通路（31）における室内熱交換器（37）の下方の空気の温度Ｔｓが低温空気基準値（Ｔｆ＋所定値）よりも低くなる状態の継続時間が所定の時間に達するという条件が成立する場合にも、ファンベルト（29）が破断していると判定する。
【００９７】
なお、第３−３条件の代わりに、吸込温度Ｔｓが所定の吸込判定温度Ｔｓ１よりも低くなる状態の継続時間が所定時間（例えば、５分間）以上であるという第３−５条件を用いてもよい。この場合、吸込判定温度Ｔｓ１は、低温空気基準値を構成し、目標蒸発温度を基準に設定される。吸込判定温度Ｔｓ１は、例えば、目標蒸発温度より所定値だけ低い温度に設定される。また、第３−５条件に加えて、吹出温度Ｔｆが所定の吹出判定温度Ｔｆ１よりも高くなる状態の継続時間が所定時間（例えば、５分間）以上であるという第３−６条件を用いてもよい。この場合、異常判定部（55）は、第３−５条件と第３−６条件の少なくとも一方が成立する場合に、ファンベルト（29）が破断していると判定する。
【００９８】
ステップＳＴ５では、異常判定部（55）が、第４条件が成立しているか否かを判定するする動作を行う。第４条件は、圧縮機（30）の運転容量が制御可能な範囲の低容量領域に設定された低容量状態になっているという第４−１条件と、下記の式７が成立する状態が所定時間ｔ４（例えば、ｔ４＝５分）継続するという第４−２条件が成立する場合に、成立する。異常判定部（55）は、第４条件が成立する場合には、ファンベルト（29）が破断していると判定して、ステップＳＴ９へ移行する。第４条件が成立しない場合には、ステップＳＴ８へ移行する。
【００９９】
式７：低圧圧力ＬＰ＜第２低圧基準値ＬＰ２
上記式７において、第２低圧基準値ＬＰ２は、異常判定部（55）に予め設定された判定閾値（例えば、０．５７ＭＰａ）である。第２低圧基準値ＬＰ２は、飽和温度が例えば−５℃となる冷媒圧力であり、下限圧力以下で且つ第１低圧基準値ＬＰ１よりも高い値に設定されている。第４−２条件は、上記判定条件を構成している。また、第４条件は、ファンモータ回転状態で且つ低容量状態で、圧縮機（30）に吸入される低圧冷媒の圧力ＬＰが、所定の時間以上に亘って、下限圧力以下で且つ第１低圧側基準値ＬＰ１よりも高い第２低圧側基準値ＬＰ２未満になっているという第２低圧条件を構成している。
【０１００】
なお、第４条件において、蒸発温度Ｔｅの変化に基づいてファンベルト（29）が破断しているか否かを判定してもよい。具体的に、第４条件において、第４−２条件の代わりに、下記の式８が成立する状態の継続時間が所定時間（例えば、５分間）以上であるという第４−３条件を用いる。
【０１０１】
式８：蒸発温度Ｔｅ＜第２低温基準値Ｔｅ２
上記式８において、第２低温基準値Ｔｅ２は、異常判定部（55）に予め設定された判定閾値（例えば、−５℃）である。第２低温基準値Ｔｅ２は、下限温度以下で且つ第１低温基準値Ｔｅ１よりも高い値に設定されている。この場合、第４−３条件は、判定条件を構成している。また、第４条件は、ファンモータ回転状態で且つ低容量状態で、室内熱交換器（37）における冷媒の蒸発温度Ｔｅが、所定の時間以上に亘って、下限温度以下で且つ第１低温側基準値Ｔｅ１よりも高い第２低温側基準値Ｔｅ２未満になっているという第２低温条件を構成している。なお、第３条件の場合と同様に、低圧圧力ＬＰに基づく第４−２条件と、蒸発温度Ｔｅに基づく第４−３条件とを併用してもよい。
【０１０２】
ステップＳＴ６では、異常判定部（55）が、第５条件が成立しているか否かを判定するする動作を行う。第５条件は、下記の式９が成立する状態が所定時間ｔ５（例えば、ｔ５＝５分）継続するという第５−１条件と、運転制御部（54）が高圧側垂下動作中であるという第５−２条件との少なくとも１つが成立する場合に、成立する。異常判定部（55）は、第５条件が成立する場合には、ファンベルト（29）が破断していると判定して、ステップＳＴ９へ移行する。第５条件が成立しない場合には、ステップＳＴ７へ移行する。
【０１０３】
式９：高圧圧力ＨＰ＞第１高圧基準値ＨＰ１
上記式９において、高圧圧力ＨＰは吐出圧力センサ（48）の計測圧力（判定用計測値）である。吐出圧力センサ（48）は計測手段（46,48,50）を構成している。また、第１高圧基準値ＨＰ１は、異常判定部（55）に予め設定された判定閾値（例えば、３．５ＭＰａ）である。第１高圧基準値ＨＰ１は、上限圧力よりも高く、垂下判定高圧圧力よりも低い値に設定されている。第５−１条件は、判定条件の１つであり、圧縮機（30）から吐出された高圧冷媒の圧力ＨＰが、所定の時間以上に亘って、上限圧力よりも高い第１高圧側基準値ＨＰ１を上回るという第１高圧条件を構成している。
【０１０４】
なお、第５条件において、凝縮温度Ｔｃの変化に基づいてファンベルト（29）が破断しているか否かを判定してもよい。具体的に、第５条件において、第５−１条件の代わりに、下記の式１０が成立する状態の継続時間が所定時間（例えば、５分間）以上であるという第５−３条件を用いる。
【０１０５】
式１０：凝縮温度Ｔｃ＞第１高温基準値Ｔｃ１
上記式１０において、凝縮温度Ｔｃは室内液温度センサ（46）の計測温度（判定用計測値）である。また、第１高温基準値Ｔｃ１は、異常判定部（55）に予め設定された判定閾値である。第１高温基準値Ｔｃ１は、上限温度よりも高い値に設定されている。第５−３条件は、判定条件の１つであり、室内熱交換器（37）における冷媒の凝縮温度Ｔｃが、所定の時間以上に亘って、上限温度よりも高い第１高温側基準値Ｔｃ１を上回るという第１高温条件を構成している。
【０１０６】
また、高圧圧力ＨＰに基づく第５−１条件と、凝縮温度Ｔｃに基づく第５−３条件を併用してもよい。この場合、異常判定部（55）は、第５−１条件と第５−３条件の少なくとも１つが成立する場合に、ファンベルト（29）が破断していると判定する。
【０１０７】
ステップＳＴ７では、異常判定部（55）が、第６条件が成立しているか否かを判定するする動作を行う。第６条件は、圧縮機（30）の運転容量が低容量領域に設定されているという第６−１条件と、下記の式１１が成立する状態が所定時間ｔ６（例えば、ｔ６＝５分）継続するという第６−２条件の少なくとも一つが成立する場合に、成立する。異常判定部（55）は、第６条件が成立する場合には、ファンベルト（29）が破断していると判定して、ステップＳＴ９へ移行する。第６条件が成立しない場合には、ステップＳＴ８へ移行する。
【０１０８】
式１１：高圧圧力ＨＰ＞第２高圧基準値ＨＰ２
上記式１１において、第２高圧基準値ＨＰ２は、異常判定部（55）に予め設定された判定閾値（例えば、３．０ＭＰａ）である。第２高圧基準値ＨＰ２は、飽和温度が例えば５０℃となる冷媒圧力であり、上限圧力以上で且つ第１高圧基準値ＨＰ１よりも低い値に設定されている。第６−２条件は、判定条件を構成している。また、第６条件は、ファンモータ回転状態で且つ低容量状態で、圧縮機（30）から吐出された高圧冷媒の圧力ＨＰが、所定の時間以上に亘って、上限圧力以上で且つ第１高圧側基準値ＨＰ１よりも低い第２高圧側基準値ＨＰ２未満になっているという第２高圧条件を構成している。
【０１０９】
なお、第６条件において、凝縮温度Ｔｃの変化に基づいてファンベルト（29）が破断しているか否かを判定してもよい。具体的に、第６条件において、第６−２条件の代わりに、下記の式１２が成立する状態の継続時間が所定時間（例えば、５分間）以上であるという第６−３条件を用いる。
【０１１０】
式１２：凝縮温度Ｔｃ＞第２高温基準値Ｔｃ２
上記式１２において、第２高温基準値Ｔｃ２は、異常判定部（55）に予め設定された判定閾値である。第２高温基準値Ｔｃ２は、上限温度以上で且つ第１高温基準値Ｔｃ１よりも低い値に設定されている。この場合、第６−３条件は、判定条件を構成している。また、第６条件は、ファンモータ回転状態で且つ低容量状態で、室内熱交換器（37）における冷媒の凝縮温度Ｔｃが、所定の時間以上に亘って、上限温度以上で且つ第１高温側基準値Ｔｃ１よりも低い第２高温側基準値Ｔｃ２を上回るという第２高温条件を構成している。なお、第５条件の場合と同様に、高圧圧力ＨＰに基づく第６−２条件と、凝縮温度Ｔｃに基づく第６−３条件とを併用してもよい。
【０１１１】
また、ステップＳＴ７では、異常判定部（55）が、第６条件が成立しているか否かを判定する動作に加えて、第７条件が成立しているか否かを判定する動作を行う。第７条件は、下記の式１３が成立する状態が所定時間ｔ７（例えば、ｔ７＝５分）継続する場合に、成立する。
【０１１２】
式１３：吹出温度Ｔｆ＞暖房時判定温度Ｔｆ２
上記式１３において、暖房時判定温度Ｔｆ２は、異常判定部（55）に予め設定された判定閾値であり、高温空気基準値を構成している。暖房時判定温度Ｔｆ２は、暖房運転中の目標凝縮温度を基準に設定されている。暖房時判定温度Ｔｆ２は、例えば目標凝縮温度よりも所定値だけ高い温度に設定されている。
【０１１３】
本実施形態の異常判定部（55）は、第２高圧条件が成立する場合だけでなく、ファンモータ回転状態で、空気通路（31）における室内熱交換器（37）の上方の空気の温度Ｔｆが暖房時判定温度Ｔｆ２よりも高くなる状態の継続時間が所定の時間に達するという条件が成立する場合にも、ファンベルト（29）が破断していると判定する。
【０１１４】
ステップＳＴ８では、異常判定部（55）が、空気調和装置（10）の運転状態が換気運転に設定されているか否かを確認する。異常判定部（55）は、換気運転に設定されている場合には、ステップＳＴ９へ移行する。換気運転に設定されていない場合には、ステップＳＴ１へ移行する。換気運転中の異常判定部（55）は、ファン停止確認動作において第１条件が成立すれば、ファンベルト（29）が破断していると判定する。
【０１１５】
ステップＳＴ９では、異常発報部（56）によって、ファンベルト切れが発生していることを示すベルト切れ警報が出力される。ベルト切れ警報は、リモコン等に出力される。ステップＳＴ９では、異常判定部（55）が、ベルト切れ検知信号を異常発報部（56）に出力する。そして、異常発報部（56）は、ベルト切れ検知信号を受信すると、ベルト切れ警報をリモコン等に出力する。
【０１１６】
−実施形態の効果−
本実施形態では、室内ファン（14）が停止すると、室内熱交換器（37）における冷媒の物理量が正常範囲外になるので、ファンモータ回転状態で、室内熱交換器（37）を流れる冷媒の状態を表す物理量が、所定の時間以上に亘って正常範囲から外れている場合に、異常判定部（55）がファンベルト（29）が破断していると判定する。従って、ファンベルト（29）が破断していることを検知可能な空気調和装置（10）を実現することができる。
【０１１７】
また、本実施形態では、冷房運転中に低圧冷媒の圧力が所定の下限圧力以下にならないように圧縮機（30）の運転容量が調節される場合は、冷房運転中に室内ファン（14）が停止しているか否かが、低圧冷媒の圧力が下限圧力以下（又は、室内熱交換器（37）における冷媒の蒸発温度が下限温度以下）になっているか否かで判断できることを利用して、ファンベルト（29）が破断しているか否かが判定される。このため、冷房運転を行う空気調和装置（10）として、ファンベルト（29）が破断していることを検知可能な空気調和装置（10）を実現することができる。
【０１１８】
また、本実施形態では、ファンベルト（29）が破断した後に圧縮機（30）の運転容量がすぐに低容量領域に低下しない場合に速やかにファンベルト（29）が破断していることを検知できる条件と、低圧冷媒の圧力の低下（又は、蒸発温度の低下）に対して速やかにファンベルト（29）が破断していることを検知できる条件とが、ベルト切れの判定に用いられている。このため、ファンベルト（29）が破断した後に、圧縮機（30）の運転容量がすぐに低容量領域に低下する場合であっても、すぐに低容量領域に低下しない場合であっても、速やかにファンベルト（29）が破断していることを検知できる。
【０１１９】
また、本実施形態では、暖房運転中に高圧冷媒の圧力が所定の上限圧力以上にならないように圧縮機（30）の運転容量が調節される場合は、暖房運転中に室内ファン（14）が停止しているか否かが、高圧冷媒の圧力が上限圧力以上（又は、室内熱交換器（37）における冷媒の凝縮温度が上限温度以上）になっているか否かで判断できることを利用して、ファンベルト（29）が破断しているか否かが判定される。このため、暖房運転を行う空気調和装置（10）として、ファンベルト（29）が破断していることを検知可能な空気調和装置（10）を実現することができる。
【０１２０】
また、本実施形態では、ファンベルト（29）が破断した後に圧縮機（30）の運転容量がすぐに低容量領域に低下しない場合に速やかにファンベルト（29）が破断していることを検知できる条件と、高圧冷媒の圧力の上昇（又は、凝縮温度の上昇）に対して速やかにファンベルト（29）が破断していることを検知できる条件とが、ベルト切れの判定に用いられている。このため、ファンベルト（29）が破断した後に、圧縮機（30）の運転容量がすぐに低容量領域に低下する場合であっても、すぐに低容量領域に低下しない場合であっても、速やかにファンベルト（29）が破断していることを検知できる。
【０１２１】
また、本実施形態では、室内ファン（14）が停止すると、室内熱交換器（37）を流れる冷媒の状態を表す物理量が正常範囲外になると共に、圧縮機（30）の運転容量が低下するので、異常判定部（55）が、ファンモータ回転状態で且つ低容量状態で、室内熱交換器（37）を流れる冷媒の状態を表す物理量が正常範囲外になる状態の継続時間が所定の時間に達する場合に、ファンベルト（29）が破断していると判定する。従って、ファンベルト（29）が破断していることを検知可能な空気調和装置（10）を実現することができる。
【０１２２】
また、本実施形態では、冷房運転中に低圧冷媒の圧力が所定の下限圧力以下にならないように圧縮機（30）の運転容量が調節される場合は、冷房運転中に室内ファン（14）が停止しているか否かが、低圧冷媒の圧力（又は、低圧冷媒の圧力に相関する蒸発温度）と圧縮機（30）の運転容量で判断できることを利用して、ファンベルト（29）が破断しているか否かが判定される。このため、冷房運転を行う空気調和装置（10）として、ファンベルト（29）が破断していることを検知可能な空気調和装置（10）を実現することができる。
【０１２３】
また、本実施形態では、暖房運転中に高圧冷媒の圧力が所定の上限圧力以上にならないように圧縮機（30）の運転容量が調節される場合は、暖房運転中に室内ファン（14）が停止しているか否かが、高圧冷媒の圧力（又は、高圧冷媒の圧力に相関する凝縮温度）と圧縮機（30）の運転容量で判断できることを利用して、ファンベルト（29）が破断しているか否かが判定される。このため、暖房運転を行う空気調和装置（10）として、ファンベルト（29）が破断していることを検知可能な空気調和装置（10）を実現することができる。
【０１２４】
また、本実施形態では、冷房運転中に室内ファン（14）が停止すると、空気通路（31）における室内熱交換器（37）の下方の空気の温度が比較的大きく低下することに着目して、空気通路（31）における室内熱交換器（37）の下方の空気の温度変化に基づいて、ファンベルト（29）が破断しているか否かが判定される。室内熱交換器（37）における冷媒の物理量の変化に基づく判定条件が未成立であっても、空気通路（31）における室内熱交換器（37）の下方の空気の温度変化が所定の条件を満たせば、ファンベルト（29）が破断していると判定される。従って、ファンベルト（29）が破断していることを確実に検知できる。
【０１２５】
また、本実施形態では、暖房運転中に室内ファン（14）が停止すると、空気通路（31）における室内熱交換器（37）の上方の空気の温度が比較的大きく上昇することに着目して、空気通路（31）における室内熱交換器（37）の上方の空気の温度変化に基づいて、ファンベルト（29）が破断しているか否かが判定される。室内熱交換器（37）における冷媒の物理量の変化に基づく判定条件が未成立であっても、空気通路（31）における室内熱交換器（37）の上方の空気の温度変化が所定の条件を満たせば、ファンベルト（29）が破断していると判定される。従って、ファンベルト（29）が破断していることを確実に検知できる。
【０１２６】
また、本実施形態では、加湿装置（19）の運転中に室内ファン（14）が停止すると、空気通路（31）の湿度が上昇することに着目して、空気通路（31）の湿度の単位時間当たりの上昇率に基づいて、ファンベルト（29）が破断しているか否かが判定される。判定条件が成立するか否かを判定する動作を行う前であっても、空気通路（31）の湿度の変化率が所定の条件を満たせば、ファンベルト（29）が破断していると判定される。従って、加湿装置（19）の運転中に速やかにファンベルト（29）が破断していることを検知できる。
【０１２７】
また、本実施形態では、モータ電流の電流値の変化率に基づいて、判定条件が成立するか否かを判定する動作を行うか否かが判断される。モータ電流の電流値の変化率が所定の条件を満たさない場合には、上記動作は実行されない。従って、上記動作を適切に実行することができる。
【０１２８】
また、本実施形態では、室内ファン（14）の回転速度の変化率に基づいて、判定条件が成立するか否かを判定する動作を行うか否かが判断される。室内ファン（14）の回転速度の変化率が所定の条件を満たさない場合には、上記動作は実行されない。従って、上記動作を適切に実行することができる。
【０１２９】
《その他の実施形態》
上記実施形態については、以下のような構成としてもよい。
【０１３０】
上記実施形態について、異常判定部（55）は、冷房サーモ状態におけるベルト切れの判定として、ステップＳＴ４とステップＳＴ５の片方だけ行うように、構成されていてもよい。
【０１３１】
また、上記実施形態について、異常判定部（55）は、暖房サーモ状態におけるベルト切れの判定として、ステップＳＴ６とステップＳＴ７の片方だけ行うように、構成されていてもよい。
【０１３２】
また、上記実施形態について、冷媒回路（20）が、冷凍サイクルの高圧が冷媒の臨界圧力よりも高い値に設定される超臨界サイクルを行うように構成されていてもよい。この場合、冷凍サイクルの高圧が冷媒の臨界圧力よりも低い値に設定される通常の冷凍サイクルでは凝縮器となる熱交換器が、ガスクーラとして動作する。冷媒としては、例えば二酸化炭素が用いられる。この場合、暖房運転中の異常判定部（55）は、凝縮温度の代わりに、室内熱交換器（37）の入口等の一定の位置における冷媒の温度を判定用計測値として、ファンベルト（29）が破断しているか否かを判断する。
【０１３３】
なお、以上の実施形態は、本質的に好ましい例示であって、本発明、その適用物、あるいはその用途の範囲を制限することを意図するものではない。
【産業上の利用可能性】
【０１３４】
以上説明したように、本発明は、ファンモータの動力がファンベルトを介して伝達される送風ファンを備えた空気調和装置について有用である。
【図面の簡単な説明】
【０１３５】
【図１】実施形態に係る空気調和装置の概略構成図である。
【図２】実施形態に係る室内機の概略構成図である。
【図３】実施形態に係るベルト切れの判定のフローチャートである。
【符号の説明】
【０１３６】
１０      空気調和装置
１４      室内ファン（送風ファン）
２０      冷媒回路
２８      ファンモータ
２９      ファンベルト
３０      圧縮機
３５      コントローラ
３７      室内熱交換器（熱交換器）
５４      運転制御部（運転制御手段）
５５      異常判定部（異常判定手段）
５６      異常発報部
【図１】
2010216720.tif 000003
【図２】
2010216720.tif 000004
【図３】
2010216720.tif 000005